(57)【要約】【課題】  筐体の異なった２面間の角部に配置された押しボタンの押動によるスイッチ部材の確実な操作を可能にした据置型情報処理装置を提供すること。【解決手段】  据置型情報処理装置１は、内部に内蔵機器の収容空間を有する直方体の筐体と、この筐体の異なる２面である２ａ、２ｂ間の角部に形成された開口６３に遊嵌された押しボタン１１、１２、１３と、筐体の内部に配設され、押しボタン１１、１２、１３が押動されることで作動されるスイッチ部材７４と、押しボタン１１、１２、１３の押動方向を、２面２ａ、２ｂに対して傾斜した一方向にガイドするガイド部材６４とを備える。【選択図】        図１２
2005310544.tif 000002
【特許請求の範囲】
【請求項１】
内部に内蔵機器の収容空間を有する直方体の筐体と、
前記筐体の異なる２面間の角部に形成された開口に遊嵌された押しボタンと、
前記筐体の内部に配設され、前記押しボタンが押動されることで作動されるスイッチ部材と、
前記押しボタンの押動方向を、前記２面に対して傾斜した一方向にガイドするガイド部材と
を備えることを特徴とする据置型情報処理装置。
【請求項２】
前記押しボタンと前記スイッチ部材との間に、前記押しボタンの押動力の作用方向を、前記スイッチ部材を作動させる方向に変換する変換部材が配設されている
ことを特徴とする請求項１に記載の据置型情報処理装置。
【請求項３】
前記変換部材は、前記押しボタンからの押動力を受ける部分がてこの力点として作用する力点部と、前記スイッチ部材に当接して前記スイッチ部材を押し込む部分がてこの作用点として機能する作用点部とを有する
ことを特徴とする請求項２に記載の据置型情報処理装置。
【請求項４】
複数の前記押しボタンと、これら押しボタンにそれぞれ対応する複数の前記スイッチ部材とを備え、
前記複数の押しボタンそれぞれに対応した複数の前記力点部と、前記複数のスイッチ部材それぞれに対応した複数の前記作用点部とが、可撓性を有する樹脂材料からなる前記変換部材に一体成形されている
ことを特徴とする請求項３に記載の据置型情報処理装置。
【請求項５】
前記開口から露出される前記押しボタンの押圧操作面は、前記開口の縁部よりも前記筐体の内部に入り込んでおり、前記開口の縁部と前記押圧操作面との間に段差が形成されている
ことを特徴とする請求項１に記載の据置型情報処理装置。
【請求項６】
前記筐体の内部に配設された発光素子と、
前記角部に設けられ、前記発光素子からの光を透過させる発光窓部と
を備えることを特徴とする請求項１に記載の据置型情報処理装置。
【請求項７】
前記発光素子と前記発光窓部との間に、前記発光素子からの光を前記発光窓部に導く導光部材が配設されている
ことを特徴とする請求項６に記載の据置型情報処理装置。
【発明の詳細な説明】
【技術分野】
【０００１】
本発明は、筐体の異なる２面間の角部に配置された押しボタンを備える据置型情報処理装置に関し、詳しくは、その押しボタンが押動される際にぶれない（揺れ動かない）ようにした据置型情報処理装置に関する。
【背景技術】
【０００２】
例えばタワー型パーソナルコンピュータなどの据置型情報処理装置は、従来机上に置かれることが多く、押しボタンは使用者に対して向けられる正面に配置されているが、例えば電子機器をリビングルームなどの床の上に置いた場合には、情報処理装置に対する使用者の視線方向は見下ろすような方向となるので、押しボタンは情報処理装置の上面に配置した方が使い勝手はよい。
【０００３】
しかし、上記のような設置状態の変更に対応できるように同じ機能の押しボタンを異なる２面に設けるとなると部品点数及びコストが増大する。また、デザイン上の自由度も小さくなる。
【０００４】
そこで、例えば特許文献１には、１つの押しボタンでもって、２面方向からの操作を可能にするため、筐体の異なる２面間の角部に押しボタンを配置した電子機器が開示されている。
【特許文献１】実開平１−８０７３１号公報
【０００５】
図１４に示すように、上記特許文献１では、押しボタン２７１は、水平操作面２７１ｃ及び垂直操作面２７１ｄを有し、これらの操作面のそれぞれが筐体２７０の上面２７０ｂ及び前面２７０ａと略同一平面を形成するように上面２７０ｂ及び前面２７０ａとの間の角部に配置されている。
【０００６】
図１５Ａに示すように、押しボタン２７１の垂直操作面２７１ｄに対して垂直な押圧力を加えると、押しボタン２７１と筐体２７０とに連結された板バネ状ヒンジ２７４は撓み、押しボタン２７１は矢印Ｘ方向に変位して、押しボタン２７１のスイッチ押圧部２７１ｂが、基板２７２状に実装されたスイッチ部材２７３の作動子を押し込む。
【０００７】
図１５Ｂに示すように、押しボタン２７１の水平操作面２７１ｃに対して垂直な押圧力を加えると、板バネ状ヒンジ２７４の湾曲部２７４ａが撓むと共に、押しボタン２７１の下面側の傾斜部２７１ａは筐体２７０の前面２７０ａ内側の傾斜面２７５に対して摺接運動を起こして、押しボタン２７１は矢印Ｙ方向に変位すると共に矢印Ｘ方向にも変位して、押しボタン２７１のスイッチ押圧部２７１ｂがスイッチ部材２７３の作動子を押し込む。
【発明の開示】
【発明が解決しようとする課題】
【０００８】
上記特許文献１の押しボタン２７１は、図１５に示すように、２方向への押動が可能となっており、使用者から加えられる押動力の作用方向や押動方向によっては、押しボタン２７１の押動方向やストロークにばらつきが生じ、スイッチ部材２７３の作動子を確実に押し込めないおそれがある。また、使用者としては、押しボタン２７１がぐらつくような感触を感じ、良好な押下感触が得られない。
【０００９】
本発明は上述の問題に鑑みてなされ、その目的とするところは、筐体の異なった２面間の角部に配置された押しボタンの押動によるスイッチ部材の確実な操作を可能にした据置型情報処理装置を提供することにある。
【課題を解決するための手段】
【００１０】
本発明の据置型情報処理装置は、内部に内蔵機器の収容空間を有する直方体の筐体と、この筐体の異なる２面間の角部に形成された開口に遊嵌された押しボタンと、筐体の内部に配設され、上記押しボタンが押動されることで作動されるスイッチ部材と、押しボタンの押動方向を、上記２面に対して傾斜した一方向にガイドするガイド部材とを備えることを特徴としている。
【００１１】
上記筐体の異なる２面間の角部に配置された押しボタンは、上記２面側それぞれから視認され得る。例えば上記２面のうち一方の面が、椅子に座った使用者の方を向くように据置型情報処理装置を机上に置いた場合には、使用者はその視線方向に押しボタンを見ることができ容易に押しボタン視認して操作することができる。あるいは、据置型情報処理装置を例えばリビングルームの床の上に置いた場合には、その据置型情報処理装置を見下ろすようにして床の上に立つ使用者の視線方向にも押しボタンは見え、使用者は容易に押しボタンを視認して操作することができる。
【００１２】
このように、押しボタンは、上記のように据置型情報処理装置の置き方が変わって据置型情報処理装置に対する使用者の視線方向が変わっても、使用者に視認させることができ、使用者に確実な操作を行わせることができる。
【００１３】
また、押しボタンの押動方向は、上記角部を挟む２面に対して傾斜した方向に、上記ガイド部材によってガイドされるので、上記２面のどちら側からでも押しボタンを押すことができる。例えば、押動方向が上記２面のうちの一方の面に垂直であるとすると、他方の面側からは押しにくく、逆に、押動方向が他方の面に垂直であると、上記一方の面側からは押しにくい。
【００１４】
また、上記ガイド部材によって、押しボタンの押動方向は一方向に規制されるので、押動方向にブレが生じず、確実にスイッチ部材を作動させることができる。
【００１５】
また、押しボタンとスイッチ部材との間に、押しボタンの押動力の作用方向を、スイッチ部材を作動させる方向に変換する変換部材を配設すれば、使用者が実際に押しボタンを押動操作する方向と、スイッチ部材が押し込まれる方向とが一致していなくても、上記変換部材によって、押しボタンの押動力はスイッチ部材へと伝達されるので、筐体内におけるスイッチ部材を、使用者の押動操作の方向にとらわれずに配置でき、配置レイアウトの自由度を大きくすることができる。
【００１６】
また、上記変換部材は、押しボタンからの押動力を受ける部分がてこの力点として作用する力点部と、スイッチ部材に当接してスイッチ部材を押し込む部分がてこの作用点として機能する作用点部とを有する構成とすれば、支点に対する、力点部と作用点部の距離を任意に設定することで、例えば、支点と力点部との距離を、支点と作用点部との距離よりも大きくすれば、使用者が押しボタンを押す押動力よりも、作用点部がスイッチ部材を押し込む力を大とでき、使用者は比較的小さな押動力でもってスイッチ部材を押せる。
【００１７】
また、複数の押しボタンそれぞれに対応した複数の力点部と、複数のスイッチ部材それぞれに対応した複数の作用点部とが、可撓性を有する樹脂材料からなる変換部材に一体成形された構成とすれば、部品点数を小とでき、また変換部材を１つの部品として扱えるので部品管理や組み付けも容易になる。この結果、コスト削減が図れる。
【００１８】
また、上記開口から露出される押しボタンの押圧操作面を、開口の縁部よりも筐体の内部に入り込ませて、開口の縁部と押圧操作面との間に段差が形成されるようにすれば、使用者は押しボタンの押動方向を、その押しボタンが開口から筐体内方に落ち込んでいる方向と認識しやすく、自然と押しボタンを上記一定方向に押し込むことができる。
【００１９】
また、上記角部に、筐体内部に配設された発光素子からの光を透過させる発光窓部を配置すれば、使用者が上記２面のうちの一方の面に視線を向けている状態でも、他方の面に視線を向けている状態でも発光窓部の点灯を容易に確認できる。
【００２０】
また、上記発光素子と発光窓部との間に、発光素子からの光を発光窓部に導く導光部材を配設すれば、発光窓部の位置にとらわれることなく、発光素子の配置自由度を大きくできる。
【発明の効果】
【００２１】
本発明の据置型情報処理装置によれば、押しボタンの押動方向は、上記角部を挟む２面に対して傾斜した方向に、上記ガイド部材によってガイドされるので、上記２面のどちら側からでも押しボタンを押すことができ。この結果、据置型情報処理装置の設置自由度が増し、また、１つの押しボタンにて２面方向からの押動操作に対応できるので、デザイン自由度も増す。さらに、上記ガイド部材によって、押しボタンの押動方向は一方向に規制されるので、押動方向にブレが生じず、確実にスイッチ部材を作動させることができる。
【発明を実施するための最良の形態】
【００２２】
図１は本発明の実施形態に係る据置型情報処理装置１（以下、単に情報処理装置とも呼ぶ）の外観斜視図を示す。図２、図３はそれぞれ、情報処理装置１の正面図、上面図である。本実施形態では、情報処理装置１は、いわゆるタワー型パーソナルコンピュータの本体である。
【００２３】
情報処理装置１は、筐体２及び３が組み合わされなる直方体形状の外部筐体を有し、その外部筐体は台座８によって設置面上に支持される。
【００２４】
筐体２は、前板部２ａと、前板部２ａの縁部を囲むように設けられた上板部２ｂ、側板部２ｃ、２ｄとからなる箱型形状を呈している。前板部２ａには四角形状の開口２ｅが形成されている。開口２ｅは、前板部２ａの上半分ほどの領域であって側板部２ｄ寄りの箇所に形成されている。また、前板部２ａには、開口２ｅを開閉するためのシャッター６が設けられている。
【００２５】
開口２ｅの上縁部の近傍であって、上板部２ｂと前板部２ａとの角部には、各種押しボタン１１、１２、１３が配設されている。押しボタン１１と１２との間にはスペーサ１６が、押しボタン１２と１３との間にはスペーサ１７が設けられている。これらスペーサ１６、１７は押されても筐体内部に押し込まれず、押しボタンとしては機能しない。スペーサ１７には発光窓部１８が設けられている。
【００２６】
筐体２において下半分ほどの部分には板状の外装部材４が取り付けられている。外装部材４は、筐体２の前板部２ａの下半分を覆う前板部４ａと、筐体２の側板部２ｄの下方の領域を覆う側板部４ｄとからなる。
【００２７】
筐体３は、背板部と、この背板部の縁部を囲むように設けられた上板部３ｂ、側板部３ｃ、３ｄとからなる箱型形状を呈している。
【００２８】
上述した外部筐体は例えば樹脂材料からなり、その内部には、図５に示す内部筐体１４３が内蔵されている。内部筐体１４３は、例えば金属材料からなり、情報処理装置１の剛性を高める補強部材及び内蔵機器の取付部材として機能する。
【００２９】
内部筐体１４３は、背板部１７２と、この背板部１７２の縁部を囲むように設けられた上板部１４４と、側板部１４５、１４８、１４７と、底板部１４６とからなる箱型形状を呈している。
【００３０】
上板部１４４には吸気用開口１６７が多数の小孔として形成されている。側板部１４５には吸気用開口１５１が多数の小孔として形成されている。側板部１４７には吸気用開口１６６、１６２が多数の小孔として形成されている。
【００３１】
側板部１４８には排気用開口１５３、１５４が多数の小孔として形成されている。さらに、側板部１４８には、配線接続部である各種コネクタを露出させるための開口４３、４４、１４９が形成されている。
【００３２】
底板部１４６には吸気用開口１５５が多数の小孔として形成されている。また、底板部１４６には、吸気と内部筐体１４３の軽量化を図るための開口１５９、１６０、１６１が形成されている。さらに、底板部１４６には、内部筐体１４３内に配設されるチューナーの入力端子を露出させるための開口１５６、１５７、１５８が形成されている。
【００３３】
背板部１７２には、吸気と内部筐体１４３の軽量化を図るための開口１５２、１６５、１６４、１６３が形成されている。また、背板部１７２において、開口１６５が形成された領域は内部筐体１４３内に収容される内蔵機器であるハードディスク装置の取付領域であり、その領域には、複数のハードディスク装置を収容した枠体が引っ掛けられるようにして着脱自在に取り付けられる４つの掛止部１６８が、背板部１７２の内面側に突出して設けられている。
【００３４】
内部筐体１４３の内部には、ハードディスク装置の他にも、マザーボード、チューナーボード、電源ユニットなどの各種内蔵機器が配設される。
【００３５】
図６は、筐体２の上板部２ｂと前板部２ａとの間の角部における、上記押しボタン１１、１２、１３が配設された部分の拡大斜視図を示す。
【００３６】
筐体２の上板部２ｂと前板部２ａとの角部には細長い開口６３が形成されている。開口６３は上板部２ｂ及び前板部２ａの長手方向に沿って延在し、その延在長さはシャッター６の横幅とほぼ同じ長さとなっている。開口６３は、シャッター６によって開閉される開口２ｅの上縁部の近傍に、その上縁部に平行に位置される。
【００３７】
押しボタン１１、１２、１３は、その開口６３に遊嵌している。すなわち、押しボタン１１、１２、１３の外形を縁取る押しボタン１１、１２、１３の外縁部と、開口６３の内縁部との間には、押しボタン１１、１２、１３が後述する方向へと動くことができるように隙間がある。各押しボタン１１、１２、１３の略直角に曲げられた表面１１ａ、１１ｂ、１２ａ、１２ｂ、１３ａ、１３ｂは、開口６３から筐体２の外部に露出され、人の指などによって押される押圧操作面として機能する。
【００３８】
開口６３の内方には、図７に示すガイド部材６４が配設され、そのガイド部材６４に押しボタン１１、１２、１３が保持される。ガイド部材６４は、細長い帯板部６４ａと、その帯板部６４ａに対して傾斜した傾斜部６４ｂとを有する。ガイド部材６４は、その帯板部６４ａを筐体２の上板部２ｂの内面に平行に対向させた状態で、前板部２ａの内面に螺着されるねじにて、前板部２ａと上板部２ｂとの角部内面に取り付けられる。
【００３９】
押しボタン１１、１２、１３は、それぞれ、ガイド部材６４の傾斜部６４ｂに取り付けられる。具体的には、図１２に示すように、押しボタン１３における断面略三角形状の押圧操作部の裏面にはガイド軸７１が設けられている。ガイド軸７１は筐体２の内方に向けて突出しており、ガイド部材６４の傾斜部６４ｂに形成された貫通孔２５７を貫通している。ガイド軸７１にはコイルばね７６が巻回されている。貫通孔２５７の下端部側の内部にはリング状のフランジ部２５８が形成され、コイルばね７６の一端はそのフランジ部２５８に当接され、他端はガイド軸７１の付け根部分に当接している。コイルばね７６は圧縮された状態で配設されており、押しボタン１３を開口６３の外方に向けて付勢している。押しボタン１３はその押圧操作面１３ａ、１３ｂの長尺側縁部が、開口６３の縁部内面に当接することで開口６３からの飛び出しが規制されている。
【００４０】
図９に示すように、押しボタン１３においてその押圧操作部裏面には、ガイド軸７１を挟むように２つのレバー操作部７２が設けられている。レバー操作部７２は、ガイド部材６４の傾斜部６４ｂの裏面から突出され、図１２に示すように、後述する変換部材６５のレバー部６６ｂの傾斜部７３ｂに対向される。
【００４１】
他の押しボタン１１、１２についても上記押しボタン１３と同様な構成となっている。
【００４２】
押しボタン１１の略直角に屈曲された押圧操作面１１ａ、１１ｂは開口６３から露出され、押圧操作面１１ｂは筐体２の上板部２ｂに略平行とされ、押圧操作面１１ａは筐体２の前板部２ａに略平行とされている。同様に、押しボタン１２の略直角に屈曲された押圧操作面１２ａ、１２ｂは開口６３から露出され、押圧操作面１２ｂは筐体２の上板部２ｂに略平行とされ、押圧操作面１２ａは筐体２の前板部２ａに略平行とされている。同様に、押しボタン１３の略直角に屈曲された押圧操作面１３ａ、１３ｂは開口６３から露出され、押圧操作面１３ｂは筐体２の上板部２ｂに略平行とされ、押圧操作面１３ａは筐体２の前板部２ａに略平行とされている。
【００４３】
また、押しボタン１１と１２との間に配置されたスペーサ１６の略直角に屈曲された表面も開口６３から露出され、一方の表面は筐体２の上板部２ｂに略平行とされ、他方の表面は筐体２の前板部２ａに略平行とされている。同様に、押しボタン１２と１３との間に配置されたスペーサ１１７の略直角に屈曲された表面も開口６３から露出され、一方の表面は筐体２の上板部２ｂに略平行とされ、他方の表面は筐体２の前板部２ａに略平行とされている。しかし、上記スペーサ１６、１７は押されても筐体２内部には押し込まれず、押しボタンとしては機能しない。
【００４４】
ガイド部材６４の近傍には、図７、１０に示される変換部材６５が配設される。図８、１１に変換部材６５の裏側を示す。変換部材６５は、図５に示す内部筐体１４３の上板部１４４に取り付けられる略矩形状の取付部６７と、この取付部６７に対して片持ち支持されるように設けられたレバー部６６ａ、６６ｂと、導光部材配設凹部６８とが一体成形されてなる。変換部材６５は例えば樹脂材料からなり、取付部６７に対して片持ち支持されたレバー部６６ａ、６６ｂは取付部６７を支点に、上下に揺れるように弾性変形可能となっている。
【００４５】
レバー部６６ａ、６６ｂは、取付部６７の面方向に平行に取付部６７から延出しその先端は下向き傾斜された傾斜部７３ａ、７３ｂとなっている。傾斜部７３ａ、７３ｂは、それぞれ、後述するように、押しボタン１２、１３からの押動力を受け、取付部６７を支点としたてこの力点として機能する力点部である。
【００４６】
図１１に示すように、レバー部６６ａ、６６ｂにおいて取付部６７と平行な部分の裏面にはスイッチ作動部６９がその裏面側に突出して設けられている。スイッチ作動部６９は、上記傾斜部７３ａ、７３ｂが押しボタン１２、１３からの押動力を受けると、図１２に示す回路基板７５上に実装されたスイッチ部材７４に当接してそのスイッチ部材７４の作動子を押し込む。すなわち、スイッチ作動部６９は、取付部６７を支点、傾斜部７３ａ、７３ｂを力点とした場合のてこの作用点として機能する作用点部である。
【００４７】
導光部材配設凹部６８の裏側には、図１１に示すように角筒状の突出部が設けられ、その突出部の内部には、導光部材配設凹部６８の表面に続く導光孔７０が形成されている。
【００４８】
上述した変換部材６５は、内部筐体１４３の上板部１４４に取り付けられる。取付部６７及びこれに平行なレバー部６６ａ、６６ｂの水平部は上板部１４４上に載せられ、傾斜部７３ａ、７３ｂは上板部１４４の前端縁部から前方に突出される。図１２に示すように、傾斜部７３ｂの表面は、押しボタン１３のレバー操作部７２に対向される。傾斜部７３ａの表面は、押しボタン１２のレバー操作部７２に対向される。
【００４９】
内部筐体１４３の上板部１４４のすぐ裏側には、図１２に示す回路基板７５が配設され、その回路基板７５にはスイッチ部材７４が実装されている。回路基板７５は、内部筐体１４３の上板部１４４及び外部筐体２の上板部２ｂに平行にされた姿勢、すなわち実装面をほぼ水平にした状態で内部筐体１４３の内部に配設される。また、スイッチ部材７４の作動子は、変換部材６５のレバー部６６ｂ裏面に設けられたスイッチ作動部６９の下端部と対向される。なお、回路基板７５上には図示しない他のスイッチ部材が実装されており、そのスイッチ部材の作動子は、変換部材６５のレバー部６６ａ裏面に設けられたスイッチ作動部６９の下端部と対向される。
【００５０】
また、図１３に示すように、回路基板７５上には、例えば発光ダイオードなどの発光素子７７が実装されている。そして、図１３に示すように、変換部材６５の導光部材配設凹部６８及びこれとつながる導光孔７０には、Ｌ字状の導光部材７８が配設され、その導光部材７８の下端部は、発光素子７７に対向される。また、ガイド部材６４にも導光部材７９が嵌められている。さらに、スペーサ１７に形成された凹所にも導光部材が嵌められ、その導光部材の一端部は筐体の外部に露出され発光窓部１８として機能する。導光部材７９の一端部は導光部材７８の一端部に対向され、導光部材７８の他端部は、一端部が発光窓部１８として機能する導光部材の他端部に対向されている。上記３つの導光部材は、何れも例えば透明なアクリル樹脂材料からなる。
【００５１】
上述した押しボタンのうち例えば押しボタン１３を押すと、情報処理装置１の電源がオン／オフされる。すなわち、押しボタン１３の押圧操作面１３ａ、１３ｂ（これらの角部表面も含む）に指を接触させて押しボタン１３を押すと、図１２に示される丸棒状のガイド軸７１が、ガイド部材６４に形成された丸孔状の貫通孔２５７の内周面によるガイド作用を受けて、押しボタン１３は図１２において矢印で示す一方向に移動する。その移動方向は、筐体２の上板部２ｂに対して略４５゜傾斜し、かつ筐体２の前板部２ａに対して略４５゜傾斜した方向である。
【００５２】
押しボタン１３が上述した方向に押動されると、その裏面側に設けられたレバー操作部７２が、変換部材６５のレバー部６６ｂの傾斜部７３ｂに当接して押し込む。これにより、変換部材６５は、内部筐体１４３への取付部６７を支点、押しボタン１３からの押動力を受ける傾斜部７３ｂを力点、スイッチ部材７４に対向されるスイッチ作動部６９を作用点とするてことして機能し、スイッチ作動部６９が下方に移動してスイッチ部材７４の作動子を押し込む。これにより、スイッチ部材７４が作動され、情報処理装置１の電源がオン／オフされる。
【００５３】
上記押しボタン１３の矢印方向への押動にて、コイルばね７６は圧縮されて、矢印の反対向きに弾性復元力を生じ、押しボタン１３から指を離して押動力を解除すれば押しボタン１３は、レバー部６６ｂの傾斜部７３ｂ及びスイッチ部材７４を作動させない位置へと戻される。
【００５４】
変換部材６５は、可撓性を有する樹脂材料からなるので、傾斜部７３ｂに対する押しボタン１３からの押動力の作用が解除されれば、おじぎをするように下方に撓んでいた傾斜部７３ｂは上方（ガイド部材６４に近づく方向）に弾性復元され、スイッチ作動部６９もスイッチ部材７４を押し込む位置から上方へと戻される。
【００５５】
また、情報処理装置１の電源がオンの状態では、図１３に示す発光素子７７が発光し、この光は、導光部材７８、７９を介して、スペーサ１７に設けられた導光部材にまで導かれ、その導光部材の一端部である発光窓部１８から筐体の外部に発光される。
【００５６】
上記押しボタンのうち例えば押しボタン１１を押すと、上記押しボタン１３と同様に、押しボタン１１のガイド軸７１が、ガイド部材６４に形成された貫通孔２５７の内周面によるガイド作用を受けて、押しボタン１１は、筐体２の上板部２ｂに対して略４５゜傾斜し、かつ筐体２の前板部２ａに対して略４５゜傾斜した一定方向に移動する。
【００５７】
そして、図示しない変換部材により、押しボタン１１の押動力が、筐体２の前板部２ａにおいてシャッター６の側方に内設された光ディスク装置のイジェクトボタンに伝達されると、その光ディスク装置本体からディスクトレーが引き出され、シャッター６がそのディスクトレーの動作に連動して自動で下方にスライド移動される。これにより、図４に示すように、前板部２ａの開口２ｅに臨んで設けられた凹所２１及びそこに引き出されたディスクトレー２０が前板部２ａの開口２ｅから露出され、ディスクトレー２０に対するディスク状記録媒体の着脱が行える。
【００５８】
なお、凹所２１の上方には、図４に示すように、各種半導体メモリカードのスロット２２、２３、２４が設けられ、シャッター６が開くとそれらスロット２２、２３、２４に対する半導体メモリカードの挿脱も行える。
【００５９】
押しボタン１１を再び押せばディスクトレー２０は光ディスク装置本体に装填され、これに連動してシャッター６も閉じる。なお、シャッター６の動作は上記ディスクトレー２０の動作と連動させることに限らず、例えば押しボタン１２はシャッター６の開閉専用に設けられている押しボタンであるので、この押しボタン１２を押すことでディスクトレー２０の動作とは関係なくシャッター６を動作させることができる。
【００６０】
具体的には、上記押しボタン１３と同様、押しボタン１２の押圧操作面１２ａ、１３２（これらの角部表面も含む）に指を接触させて押しボタン１２を押すと、押しボタン１２のガイド軸７１が、ガイド部材６４に形成された貫通孔２５７の内周面によるガイド作用を受けて、図１２において矢印で示す一方向に移動する。その移動方向は、筐体２の上板部２ｂに対して略４５゜傾斜し、かつ筐体２の前板部２ａに対して略４５゜傾斜した方向である。
【００６１】
押しボタン１２が上述した方向に押動されると、その裏面側に設けられたレバー操作部７２が、変換部材６５のレバー部６６ａの傾斜部７３ａに当接して押し込む。これにより、変換部材６５は、内部筐体１４３への取付部６７を支点、押しボタン１２からの押動力を受ける傾斜部７３ａを力点、スイッチ部材７４に対向されるスイッチ作動部６９を作用点とするてことして機能し、スイッチ作動部６９が下方に移動してスイッチ部材７４の作動子を押し込む。これにより、スイッチ部材７４が作動され、シャッター６の開閉動作が行われる。
【００６２】
上述した押しボタン１１〜１３は、筐体２の異なる２面であり略直角にされている前板部２ａと上板部２ｂ間の角部に配置され、各々の押しボタン１１〜１３は、上板部２ｂ側に露出されている押圧操作面１１ｂ、１２ｂ、１３ｂと、前板部２ａ側に露出されている押圧操作面１１ａ、１２ａ、１３ａとを有する。したがって、例えば前板部２ａが椅子に座った使用者の方を向くように情報処理装置１を机上に置いた場合には、使用者の視線方向に押しボタン１１〜１３の押圧操作面正面１１ａ、１２ａ、１３ａが見え、使用者は容易に各押しボタン１１〜１３を視認により区別して操作することができる。あるいは、情報処理装置１を例えばリビングルームの床の上に置いた場合には、情報処理装置１を見下ろすようにして床の上に立つ使用者の視線方向に押しボタン１１〜１３の押圧操作面正面１１ｂ、１２ｂ、１３ｂが見え、使用者は容易に各押しボタン１１〜１３を視認により区別して操作することができる。
【００６３】
このように、各押しボタン１１〜１３は、上記のように情報処理装置１の置き方が変わって情報処理装置１に対する使用者の視線方向が変わっても、使用者に視認させることができ、使用者に確実な操作を行わせることができる。さらに、発光窓部１８も、上記２面（前板部２ａ、上板部２ｂ）の角部に配置されているので、前板部２ａに視線を向けている状態でも、上板部２ｂに視線を向けている状態でも発光窓部１８の点灯（本実施形態では例えば情報処理装置１の電源が入っていること）を確認できる。以上のことにより、情報処理装置１の配置自由度が増し、また、前板部２ａ側からの操作用の押しボタンと、上板部２ｂ側からの操作用の押しボタンの２つの押しボタン（これら２ボタンの機能は同じ）をそれぞれ前板部２ａと上板部２ｂに設ける必要がないのでデザイン自由度も増す。
【００６４】
また、各押しボタン１１〜１３の押動方向は、上記角部を挟む２面（前板部２ａ、上板部２ｂ）に対して傾斜した方向に、上述したガイド部材６４によってガイドされるので、これにより前板部２ａ側からでも、上板部２ｂ側からでも各押しボタン１１〜１３を押すことができる。例えば、押動方向が上板部２ｂに垂直（前板部２ａに平行）であると、前板部２ａ側からはその方向に押しにくく、逆に、押動方向が前板部２ａに垂直（上板部２ｂに平行）であると、上板部２ｂ側からはその方向に押しにくい。
【００６５】
また、上記ガイド部材６４によって、各押しボタン１１〜１３の押動方向は一方向に規制されるので、押動方向にブレが生じず、確実にスイッチ部材７４を作動させることができる。
【００６６】
また、各押しボタン１１〜１３の押圧操作面１１ａ、１１ｂ、１２ａ、１２ｂ、１３ａ、１３ｂは、図６に示すように開口６３の縁部と押圧操作面１１ａ、１１ｂ、１２ａ、１２ｂ、１３ａ、１３ｂとの間に段差が形成されるように開口６３の縁部よりも筐体の内部に入り込んでいるので、使用者は各押しボタン１１〜１３の押動方向を、その押しボタン１１〜１３が開口６３から筐体内方に落ち込んでいる方向と認識しやすく、自然と各押しボタン１１〜１３を上記斜め方向に押し込むことができる。
【００６７】
また、使用者が実際に押しボタン１〜１３を押動操作する方向と、回路基板７５上のスイッチ部材７４が押し込まれる方向とが一致していなくても、上記変換部材６５によって、押しボタン１〜１３の押動力はスイッチ部材７４へと伝達されるので、筐体内における回路基板７５を、使用者の押動操作の方向にとらわれずに配置でき、配置レイアウトの自由度を大きくすることができる。
【００６８】
また、その変換部材６５は、押しボタン１１〜１３からの押動力を受ける力点部であるレバー部７３ａ、７３ｂと、スイッチ部材７４に当接してそれを押し込む作用点部であるスイッチ部材作動部６９とを有するてこの構造となっているため、支点となる取付部６７に対する、力点部（レバー部７３ａ、７３ｂ）と、作用点部（スイッチ部材作動部６９）の距離を任意に設定することで、例えば、支点（取付部６７）と力点部（レバー部７３ａ、７３ｂ）との距離を、支点（取付部６７）と作用点部（スイッチ部材作動部６９）との距離よりも大きくすれば、使用者が押しボタン１１〜１３を押す押動力よりも、作用点部（スイッチ部材作動部６９）がスイッチ部材７４を押し込む力を大とでき、使用者は比較的小さな押動力でもってスイッチ部材７４を押せる。
【００６９】
また、上記変換部材６５は、複数の押しボタンに対応する複数の力点部（レバー部７３ａ、７３ｂ）と、複数のスイッチ部材７４に対応する複数の作用点部（スイッチ部材作動部６９）とを、樹脂材料にて一体成形して構成されるので、部品点数を小とでき、また１つの部品として扱えるので部品管理や組み付けも容易になる。この結果、コスト削減が図れる。
【００７０】
以上、本発明の実施形態について説明したが、勿論、本発明はこれに限定されることなく、本発明の技術的思想に基づいて種々の変形が可能である。
【００７１】
上記押しボタンは、筐体の上面と正面との間の角部に限らず、上面と左側面との角部、上面と右側面との角部、正面と左側面との角部、正面と右側面との角部に配置してもよい。
【００７２】
また、押しボタンの押し込まれる方向も、角部を挟んだ２面に対して４５゜傾いた方向に限ることはない。
【図面の簡単な説明】
【００７３】
【図１】本発明の実施形態に係る据置型情報処理の斜視図である。
【図２】同据置型情報処理の正面図である。
【図３】同据置型情報処理の上面図である。
【図４】同据置型情報処理の正面に設けられたシャッターが開かれた状態の斜視図である。
【図５】同据置型情報処理の内部筐体の斜視図である。
【図６】同据置型情報処理における押しボタン設置箇所の拡大斜視図である。
【図７】ガイド部材に取り付けられた押しボタンと、変換部材を示す斜視図である。
【図８】図７の裏面側を示す斜視図である。
【図９】ガイド部材に取り付けられた押しボタンの裏面側を示す斜視図である。
【図１０】変換部材の拡大斜視図である。
【図１１】図１０の裏面側示す斜視図である。
【図１２】上記据置型情報処理装置における押しボタン配設箇所の断面図である。
【図１３】上記据置型情報処理装置における発光窓部の断面図である。
【図１４】従来例の電子機器に備えられた押しボタンを示す斜視図である。
【図１５】図１４における［Ｉ］−［Ｉ］線方向の断面図である。
【符号の説明】
【００７４】
１…据置型情報装置、２，３…外部筐体、１１，１２，１３…押しボタン、１８…発光窓部、６３…開口、６４…ガイド部材、６５…変換部材、６９…作用点部、７３ａ，７３ｂ…力点部、７４…スイッチ部材、７７…発光素子、７８，７９…導光部材、１４３…内部筐体。
【図１】
2005310544.tif 000003
【図２】
2005310544.tif 000004
【図３】
2005310544.tif 000005
【図４】
2005310544.tif 000006
【図５】
2005310544.tif 000007
【図６】
2005310544.tif 000008
【図７】
2005310544.tif 000009
【図８】
2005310544.tif 000010
【図９】
2005310544.tif 000011
【図１０】
2005310544.tif 000012
【図１１】
2005310544.tif 000013
【図１２】
2005310544.tif 000014
【図１３】
2005310544.tif 000015
【図１４】
2005310544.tif 000016
【図１５】
2005310544.tif 000017